(57)【要約】【課題】製造コストが安価で、限られたスペースに設置でき、しかも幼児が気軽に利用することができる、従来にない遊戯装置を提供する。【解決手段】遊戯空間と外部の空間とを仕切る仕切り部材３１と、記仕切り部材３１の遊戯空間側の内面３１ａに固着された被着部材５２と、遊戯空間内に配設され、表面に被着部材５２に係着可能な係着部材５１が固着された複数の可搬部材３２とを備える。可搬部材３２の係着部材５１を仕切り部材内面３１ａに固着された被着部材５２に係着せしめることにより、可搬部材３２を仕切り部材内面３１ａに付着させることができる。【選択図】          図３
2004275492.tif 000002
【特許請求の範囲】
【請求項１】
遊戯空間と外部の空間とを仕切る仕切り部材と、
前記仕切り部材の前記遊戯空間側の内面に固着された被着部材と、
前記遊戯空間内に配設され、表面に前記被着部材に係着可能な係着部材が固着された複数の可搬部材とを備え、
前記仕切り部材内面に固着された被着部材に前記可搬部材の係着部材を係着せしめることにより、前記可搬部材を前記仕切り部材内面に付着させることができるように構成されてなる遊戯装置。
【請求項２】
前記遊戯空間内に設けられ、表面に前記被着部材が固着されるとともに、所定の回転軸周りに回転可能に設けられた回転体と、
前記回転体を回転させる回転駆動手段とを更に備えてなる請求項１記載の遊戯装置。
【請求項３】
前記可搬部材に前記被着部材が固着され、一の可搬部材の係着部材を他の可搬部材の被着部材に係着せしめることにより、該可搬部材を相互に係着させることができるように構成されてなる請求項１又は２記載の遊戯装置。
【請求項４】
前記被着部材と係着部材とは、相互に異なる形状を有し、且つ該形状が相互に観念上関連のある形状である請求項１乃至３記載のいずれかの遊戯装置。
【発明の詳細な説明】
【０００１】
【発明の属する技術分野】
本発明は、遊園地や公園の他、デパートやスーパーマーケットなどのショッピング施設の遊戯コーナ等に設置して好適な遊戯装置に関する。
【０００２】
【従来の技術及び発明が解決しようとする課題】
遊園地等に娯楽を目的とした各種遊戯施設が設置されているのは周知の通りである。例えば、水平に設けた回転支軸にアームを設け、このアームに座席を取り付けて構成し、前記回転支軸を中心として座席を垂直面内で回転又は揺動させるようにした遊戯装置が知られている。これらの装置によれば、座席に搭乗した遊戯者は、上昇時に重力（Ｇ）を体感する一方、降下時に無重力感を体感し、日常生活では到底味わうことのできない特異な感覚を体感できることから、当該装置は若年層をはじめとして多くの人の人気を得ている。
【０００３】
また、遊戯者にスピード感やスリル感を味わわせる乗物としてジェットコースタ等もよく知られている。そして近年では、更にスピード感やスリル感の増した乗物として宙返り部や急反転部を設けたものが提案されており、これも日常生活では到底味わうことのできない特異な感覚を手軽に体感できることから、若年層をはじめとして多くの人の人気を得ている。
【０００４】
しかしながら、上述した遊戯装置はいずれも大型の装置であり、デパートやスーパーマーケットにおける遊戯コーナのように、設置スペースが限られている場所には、とても設置できるようなものではなかった。また、製造コストが極めて高くつくという問題もある。
【０００５】
更に、上記遊戯装置はいずれも体力的に成長した若者向けに開発されたものであり、従来、当該若者より若年の幼児層に向けた遊戯装置，設備は極限られたものであった。
【０００６】
本発明はかかる実情の下なされたものであり、製造コストが安価で、限られたスペースに設置でき、しかも幼児が気軽に利用することができる、従来にない遊戯装置の提供を目的とする。
【０００７】
【課題を解決するための手段及びその効果】
上記目的を達成するための本発明は、遊戯空間と外部の空間とを仕切る仕切り部材と、前記仕切り部材の前記遊戯空間側の内面に固着された被着部材と、前記遊戯空間内に配設され、表面に前記被着部材に係着可能な係着部材が固着された複数の可搬部材とを備え、前記仕切り部材内面に固着された被着部材に前記可搬部材の係着部材を係着せしめることにより、前記可搬部材を前記仕切り部材内面に付着させることができるように構成された遊戯装置に係る。
【０００８】
この遊戯装置によれば、遊戯空間内に配置された可搬部材の係着部材を仕切り部材内面に固着された被着部材に係着せしめることにより、可搬部材を仕切り部材の内面に付着させるという従来に無い遊戯を楽しむことができる。
【０００９】
そして、前記遊戯装置は、前記構成に加え、表面に被着部材が固着され、所定の回転軸周りに回転可能に設けられた回転体を前記遊戯空間内に備えるとともに、この回転体を回転させる回転駆動手段を備えた態様を採ることができる。
【００１０】
かかる構成の遊戯装置によれば、遊戯者は、前記可搬部材を回転体の表面に付着させることができ、このようにすることで、回転体とともに、これに付着させた可搬部材が回転し、これらの動きが、幼児にとってこの上ない面白さをかもし出すこととなる。
【００１１】
また、前記可搬部材は、前記係着部材とともに被着部材が固着され、一の可搬部材の係着部材を他の可搬部材の被着部材に係着せしめることにより、これら可搬部材を相互に係着させることができるように構成されていても良い。このようにすれば、遊戯者は、可搬部材を相互に接着して、適宜造形物を創作するといった遊戯を楽しむことができる。
【００１２】
また、前記被着部材と係着部材とは、その一方を「＋」形状とし、他方を「−」形状とするなど、相互に異なる形状を有し、且つ該形状が相互に観念上関連のあるものとすることができる。このようにすれば、被着部材と係着部材とを相互に係着せしめる行為を通じて、遊戯者に「＋」と「−」の関係を認識させることができ、遊戯者が幼児であれば、かかる遊戯者に対して初頭教育を行うことができる。
【００１３】
【発明の実施の形態】
以下、本発明の具体的な実施形態について、添付図面に基づき説明する。図１は、当該遊戯装置の全体を示した斜視図であり、図２は、当該遊戯装置の乗物装置を示した斜視図であり、図３は、当該遊戯装置の一部分を示した斜視図であり、図４は、当該遊戯装置の回転装置を示した断面図である。
【００１４】
図１に示すように、この遊戯装置１は、４箇所に立設された支柱２及び床部材４から構成される２階建ての構造を備え、１階部分及び２階部分のそれぞれに、遊戯者が遊戯を行うための領域（第１の遊戯部１０及び第２の遊戯部３０）が形成されている。
【００１５】
２階に形成された第１の遊戯部１０は、各支柱２間に掛け渡した（張り渡した）ネット５によって外部と仕切られた遊戯空間を備えており、水平回転する回転円板１１が前記床部材４上に設けられ、かかる床部材４及び回転円板１１上に、縫い包み１９から構成される乗物装置１８の複数が配設されている。
【００１６】
尚、前記ネット５は、遊戯空間の天井に当たる部分にも掛け渡されている（張り渡されている）。また、遊戯者は、階段３から前記遊戯空間内に入ることができるようになっている。
【００１７】
図４に示すように、前記回転円板１１はウレタンスポンジをビニールシートで被覆した構造のカバー１２によって覆われている。そして、この回転円板１１の下面にはキャスター１４が設けられ、後述する駆動モータ４４によって水平回転せしめられる。また、床部材４上にも、ウレタンスポンジをビニールシートで被覆した構造のマット１３が敷設されている。
【００１８】
図２に示すように、前記乗物装置１８は、縫い包み１９と駆動機構部２２とから構成されており、縫い包み１９は、動物などを形取った形態部２０と、この形態部２０に連結される袋状の装着部２１とからなる。一方、駆動機構部２２は、基台２４と、この基台２４に連結され図示しないアクチュエータによって矢示Ａ−Ｂ方向（前後方向）への揺動動作や矢示Ｃ−Ｄ方向（水平回転方向）への回転動作を行う運動台２３とからなり、縫い包み１９の装着部２１が駆動機構部２２を被うように装着されている。
【００１９】
斯くして、この第１の遊戯部１０において、遊戯者は、前記駆動機構部２２によって矢示Ａ−Ｂ方向（前後方向）へ揺動したり、矢示Ｃ−Ｄ方向（水平回転方向）へ回転する縫い包み１９の上に跨るなどして乗りあがり、あたかも動物の上に乗っているかのような感覚を味わう遊戯を楽しむことができる。また、回転円板１１上に設けられた乗物装置１８に乗れば、乗物装置１８自体の上記運動に加えて、回転円板１１による回転運動が加わり、遊戯者はメリーゴーランドに似た遊戯を楽しむことができる。
【００２０】
一方、１階に形成された第２の遊戯部３０は、図１や図３に示すように、支柱２間に設けた壁部材３１やネット５によって仕切られた遊戯空間を備え、この遊戯空間内に回転装置３３や可搬部材たる複数の積木体３２を設けた構成を備える。
【００２１】
前記積木体３２は、芯材となるウレタンスポンジをビニールシートで被覆した構造を備え、角柱体や円柱体など様々な形状を有する。また、各積木体３２の表面には、「＋，−，○，△や◇」といった形状に成形された係着部材たる面ファスナ５１が貼着されている。
【００２２】
図４に示すように、前記回転装置３３は、床上に設けられたベースプレート３４、このペースプレート３４上に立設された支持ポスト３５、筒状の角柱体３９、この角柱体３９の下端部に固着された回転円板３６、同じく角柱体３９の上端部に固着された回転円板３８や、駆動モータ４０，４４などからなる。
【００２３】
前記回転円板３６の下面には、キャスター３７が配設されるとともに、支持ポスト３５が回転円板３６を貫通して上方に延出するように設けられており、これにより、前記回転円板３６，３８及び角柱体３９から構成される構造物が支持ポスト３５を中心として、矢示Ｅ又はＦ方向に水平回転可能となっている。
【００２４】
また、角柱体３９の内部において、その下部付近には固定板４３が設けられ、この固定板４３の下面に歯車４２が設けられている。一方、支持ポスト３５には駆動モータ４０が取り付けられ、その出力軸に装着された歯車４１と、前記歯車４２とが噛合した状態となっている。斯くして、この駆動モータ４０の作動により、前記回転円板３６，３８及び角柱体３９から構成される構造物が駆動されて、前記矢示Ｅ又はＦ方向に水平回転する。
【００２５】
また、同じく角柱体３９の内部において、その上部付近には固定板４５が設けられ、この固定板４５にはその下面に駆動モータ４４が取り付けられている。駆動モータ４４の出力軸は固定板４５を貫通してその上方に延出した状態となっており、前記第１の遊戯部１０を構成する回転円板１１の下面に固着された回転軸１５とカップリング４７によって連結されている。斯くして、上述したように、この駆動モータ４４の作動によって前記回転円板１１が駆動され、水平回転する。
【００２６】
また、第２の遊戯部３０の床上には、ウレタンスポンジをビニールシートで被覆した構造のマット４７が敷設され、回転円板３６，３８及び角柱体３９は、それぞれウレタンスポンジをビニールシートで被覆した構造のカバー４８，４９，５０によって覆われ、壁面３１ａも同様のカバーによって覆われている。また、このカバー（４８，４９，５０など）の表面には、それぞれ「＋，−，○，△や◇」といった形状に成形された被着部材たる面ファスナ５２が貼着されている。尚、この面ファスナ５２は前記積木体３２に貼着された面ファスナ５１と相互に着脱自在に係着（接着）可能となっている。
【００２７】
また、図３に示すように、壁面３１ａにも適宜駆動装置（図示せず）によって矢示Ｇ又はＨ方向に回転する回転円板５３が設けられており、この回転円板５３も前記と同様にカバーで覆われ、その表面には面ファスナ５２が貼着されている。
【００２８】
斯くして、この第２の遊戯部３０では、遊戯者は、遊戯空間内に配置された積木体３２の面ファスナー５１を、回転円板３６，３８，５３や角柱体３９の面ファスナー５２に接着させることによって、当該積木体３２を、壁部材３１、回転円板３６，３８，５３や角柱体３９に付着させるという遊戯を楽しむことができる。特に、回転円板３６，３８，５３や角柱体３９に積木体３２を付着させると、これらの動きによって積木体３２が動き、幼児にとってはこの上ない面白さをかもし出す。
【００２９】
また、面ファスナー５１，５２の雄雌関係を、例えば、「＋」形状のものを雄とし、「−」形状のものを雌とするなど、形状に関連の強いもの同士が接着されるようにすれば、遊戯を通じてかかる関係を遊戯者に教えるとことができ、幼児の初頭教育を行うことができる。
【００３０】
また、積木体３２に面ファスナー５１とともに、これが貼着される面と異なる面に面ファスナー５２を貼着すれば、積木体３２同士を相互に接着させることができ、このようにすることで、遊戯者は適宜造形物を創作するといった遊戯を楽しむことができる。
【００３１】
以上のように、この遊戯装置１では、２階建て構造としているので、色々な遊戯を行うことができる領域を集約することができ、小さい設置面積で様々な遊戯を遊戯者に楽しませることができる。
【図面の簡単な説明】
【図１】本発明の一実施形態に係る遊戯装置の全体を示した斜視図である。
【図２】本実施形態に係る遊戯装置の乗物装置を示した斜視図である。
【図３】遊本実施形態に係る戯装置の一部分を示した斜視図である。
【図４】本実施形態に係る遊戯装置の回転装置を示した断面図である。
【符号の説明】
１    遊戯装置
２    支柱
５    ネット
１０  第１の遊戯部
１１  回転円板
１８  乗物装置
３０  第２の遊戯部
３１  壁部材
３２  積木体
３３  回転装置
３６  回転円板
３８  回転円板
３９  角柱体
４０  駆動モータ
４４  駆動モータ
５１  面ファスナー
５２  面ファスナー
【図１】
2004275492.tif 000003
【図２】
2004275492.tif 000004
【図３】
2004275492.tif 000005
【図４】
2004275492.tif 000006